(57)【要約】【課題】装着方法によって、歩行や手を使うことが可能であるとともに、足や手を内部に収容することが可能な保温具を提供する。【解決手段】携帯用保温具１は、人の頭部及び首に対応する上部領域２と、人の胴部に対応する中央部領域３と、人の足に対応する下部領域４とを、防水性の繊維素材からなるシート材により上下端を開放した筒状に一体形成し、上部領域２における開放縁は、前面側１ａ中央の縁部が最も低く、後面側中央の縁部が最も高くなるように傾斜させるとともに、折り返して形成された上部紐挿入縁６に上部絞り紐８を挿通し、中央部領域３おける両脇部位には、手を出し入れするための切り込み１０を設け、さらに、下部領域４には、それぞれ人の両足を各別に入れるための二本の足筒１１を設け、これら足筒１１の下端縁を折り返して形成された各下部紐挿入部１２にそれぞれ下部絞り紐１３を挿通した。【選択図】図１
0003107537.tif 000002
【実用新案登録請求の範囲】
【請求項１】
人の頭部及び首に対応する上部領域と、人の上半身及び下半身の一部に対応する中央部領域と、人の足に対応する下部領域とを、シート材により上下端を開放した筒状に一体形成した携帯用保温具であって、上部領域における開放縁は、前面側中央が最も低く、後面側中央が最も高くなるように傾斜させるとともに、該開放部の面積を縮小可能となし、また、下部領域には、それぞれ人の両足を各別に入れるための、二本の足筒を設け、これら足筒の各開放下端は閉塞可能となしたことを特徴とする携帯用保温具。
【請求項２】
人の頭部及び首に対応する上部領域と、人の上半身及び下半身の一部に対応する中央部領域と、人の足に対応する下部領域とを、防水性の繊維素材からなるシート材により上下端を開放した筒状に一体形成した携帯用保温具であって、上部領域における開放縁は、前面側中央が最も低く、後面側中央が最も高くなるように傾斜させるとともに、折り返して形成した上部紐挿通部に上部絞り紐を挿通し、また、中央部領域における両脇部位には、手を出し入れするための切り込みを設け、さらに、下部領域には、それぞれ人の両足を各別に入れるための二本の足筒を設け、これら足筒の下端縁を折り返して形成した各下部紐挿通部にそれぞれ下部絞り紐を挿通したことを特徴とする携帯用保温具。
【考案の詳細な説明】
【技術分野】
【０００１】
本考案は、登山やハイキングでの不意の野営時、あるいは震災や水害により家を失った被災者が野外で生活する時に使用すると好適なシート材を袋状に形成してなる携帯用保温具に関するものである。
【背景技術】
【０００２】
従来、シート材で形成し、一端を開放した袋状の携帯用保温具は、寝袋を持たないハイカーや被災者が野営をする時に、開放部から袋の中に入ることによって、身体を覆い保温することが可能である。
【特許文献１】特開平１０−２４８９５０号公報
【考案の開示】
【考案が解決しようとする課題】
【０００３】
前記従来の携帯用保温具は、シート材で構成されているので、軽量でコンパクトに折り畳むことが可能であるという利点はあるが、使用者は、中に入ったまま歩行できないので、野営地で食事や簡単な作業などをするときは、外部に出なければならず冷たい外気に身体をさらすことになるという問題があった。本発明は、このような問題を解消することを課題とし、該課題を解決した携帯用保温具を提供することを目的とする。
【課題を解決するための手段】
【０００４】
上記目的を達成するために、請求項１に記載の本発明は、人の頭部及び首に対応する上部領域と、人の上半身及び下半身の一部に対応する中央部領域と、人の足に対応する下部領域とを、シート材により上下端を開放した筒状に一体形成した携帯用保温具であって、上部領域における開放縁は、前面側中央が最も低く、後面側中央が最も高くなるように傾斜させるとともに、該開放部の面積を縮小可能となし、また、下部領域には、それぞれ人の両足を各別に入れるための、二本の足筒を設け、これら足筒の各開放下端は閉塞可能となしたものです。
【０００５】
また、請求項２に記載の発明は、人の頭部及び首に対応する上部領域と、人の上半身及び下半身の一部に対応する中央部領域と、人の足に対応する下部領域とを、防水性の繊維素材からなるシート材により上下端を開放した筒状に一体形成した携帯用保温具であって、上部領域における開放縁は、前面側中央が最も低く、後面側中央が最も高くなるように傾斜させるとともに、折り返して形成した上部紐挿通部に上部絞り紐を挿通し、また、中央部領域における両脇部位には、手を出し入れするための切り込みを設け、さらに、下部領域には、それぞれ人の両足を各別に入れるための二本の足筒を設け、これら足筒の下端縁を折り返して形成した各下部紐挿通部にそれぞれ下部絞り紐を挿通したものである。
【考案の効果】
【０００６】
請求項１に記載の本発明は、シート材で構成されているので、コンパクトに折り畳むことが可能で、かつ軽量であり、携帯に便利であるとともに、ハイキングや登山での不意の野営時などに使用すると好適であり、また、外気に直接身体をさらすことなく、手足を使うことができ、さらに、手足を内部に引っ込めて寝たり座った状態で身体を保温することができるという効果を奏する。
【０００７】
請求項２に記載の本発明は、防水性の繊維素材からなるシート材で構成されているので、コンパクトに折り畳むことが可能で、かつ軽量であり、携帯に便利であるとともに、ハイキングや登山の不意の野営時などに使用すると好適であり、また、外気や雨に直接身体をさらすことなく、手足を使うことができ、さらに、手足を内部に引っ込めて寝たり座った状態において身体を保温することができるという効果を奏する。
【考案を実施するための最良の形態】
【０００８】
次に、本発明の好適な実施形態を添付図面の図１〜図６に基づいて詳細に説明する。ここにおいて、図１は正面図、図２は側面図、図３は図２のＡ−Ａ線拡大部分断面図、図４は立位の使用状態を示す正面図、図５は手足を内部に引っ込めて寝た状態を示す断面図、図６は手足を内部に引っ込めて座った状態を示す断面図である。
【０００９】
図１及び図２に示すように、保温具１は、上部を開放し、人の頭部及び首に対応する上部領域２と、人の上半身及び下半身の一部に対応する中央部領域３と、人の両足に対応する下部領域４とを、シート材により筒状に一体形成する。前記シート材は、アルミを蒸着したＰＥＴフィルムにナイロン不織布を接着して構成し、丈夫で軽量、かつ防水性を有するものである。
【００１０】
図１及び図２に示すように、上部領域２の開放部５は、その開放縁を、前面側１ａ中央が最も低くなるように、また後面側２ｂ中央が最も高くなるように傾斜させることによって、前方に面的に開くように形成する。前記開放縁には、折り返して上部紐挿通部６を形成し、前面側１ａの中央（開放縁が最も低い部位）に切り部７を設け、この切り部７から上部絞り紐８を挿通し、この上部絞り紐８の外部に出ている両端に移動阻止金具９を取り付けてある。そして、前記上部絞り紐８の両端を一方の手で持ち、他方の手で移動阻止金具９を切り部７側に押し込むようにして移動させると、開放縁が絞られ、開放部５が縮小する。また、この開放縁を絞る動作を止めて手を離すと、移動阻止金具９によって上部絞り紐８が位置固定される。
【００１１】
図１〜図４に示すように、中央部領域３おける両脇部位（前面側２ａと後面側２ｂの境界）には、手を出し入れするための、縦方向に延びる切り込み１０を設ける。この切り込み１０の外側には、使用者が手を引っ込めた状態において、冷たい外気や雨が内部に入らないようにするためのカバー片１０ａを設ける。
【００１２】
さらに、下部領域４は、それぞれ人の膝から下の両足を各別に入れるための一対の足筒１１からなる。これら足筒１１の下端は開放され、その端縁は、折り返して各下部紐挿通部１２を形成し、これらにそれぞれ下部絞り紐１３を挿通してある。
【００１３】
以上のように構成した保温具１は、図４に示すように、上部領域２の開放部５から、靴を履いたままの足から順次身体を内部に入れ、両足を各足筒１１に通して各下端の開放部５から外部に出し、各下部絞り紐１３を絞って足首に固定する。次に、中央部領域３の各切り込み１０からカバー片１０ａをくぐらすようにして手を出した後に、上部領域２を頭部に位置させ、開放部５から顔が出るようにして、上部絞り紐８の両端を一方の手で持ち、他方の手で移動阻止金具９を切り部７側に押し込むようにして移動させて開放縁を絞り、前記開放部５を縮小させる。この図４に示すような使用方法は、外気や雨に身体をさらすことなく、ある程度の移動と両手使うことが可能なので、野営地などにおいて荷物の整理や食事などの小活動をするときに好適である。
【００１４】
また、前記保温具１は、靴を履いたままの両足をそれぞれ足筒１１内に引っ込めた状態で、各下部絞り紐１３を絞って各足筒１１先端の開放部をそれぞれ閉じ、手も内部に引っ込めれば、顔だけが外気に触れ、内部には外気や雨は侵入せず、寝たり（図５参照）座って（図６参照）睡眠をとったり休息することが可能である。
【００１５】
次に、本考案の他の実施形態を添付図面の図７に基づいて説明する。ここにおいて、図７は正面図である。
【００１６】
本実施形態の保温具２１において、前述の実施形態の保温具１と相違するのは、腰紐２２を設けた点のみであって、他の構成は、前記保温具１と同一である。したがって、以下には、前記腰紐２２の構成についてのみを説明し、他の構成の説明は省略し、図７に前記保温具１の説明に用いた各部材の符号を付すに止める。
【００１７】
図７に示すように、保温具２１の腰紐２２は、中央部領域３を一周するように設けるもので、切り込み１０のカバー片１０ａの下側に位置して設けた複数の紐掛け２３に掛けてある。この腰紐２２は、歩行可能な状態で使用するときに、その両端を持って結び合わせて、腰部分のだぶつきを解消するためのものである。
【００１８】
なお、本考案は、上記各実施形態に限定されるものではなく、開放部の面積を縮小可能となす構成は、上部絞り紐８を用いるものでなくともよく、また、二本の足筒の下端を閉塞可能とする構成は、下部絞り紐１３を用いるものでなくともよい。また、開放部５の形状は、上記実施例のように菱形（図１、図７参照）ではなく、楕円形等の形状になるように構成してもよい。
【図面の簡単な説明】
【００１９】
【図１】正面図。
【図２】側面図。
【図３】図２のＡ−Ａ線拡大部分断面図。
【図４】立位の使用状態を示す正面図。
【図５】手足を内部に引っ込めて寝た状態を示す断面図。
【図６】手足を内部に引っ込めて座った状態を示す断面図。
【図７】他の実施形態の正面図
【符号の説明】
【００２０】
１    保温具
１ａ    前面側
１ｂ    後面側
２    上部領域
３    中央部領域
４    下部領域
５    開放部
６    上部紐挿通部
７    切り部
８    上部絞り紐
９    移動阻止金具
１０    切り込み
１０ａ    カバー片
１１    足筒
１２    下部紐挿通部
１３    下部絞り紐
２１    保温具
２２    腰紐
２３    紐掛け
【図１】
0003107537.tif 000003
【図２】
0003107537.tif 000004
【図３】
0003107537.tif 000005
【図４】
0003107537.tif 000006
【図５】
0003107537.tif 000007
【図６】
0003107537.tif 000008
【図７】
0003107537.tif 000009